【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
切削工具及び切削インサートから選択された複合材料品であって、該複合材料品は、
第１の複合材料からなる第１の領域と、
該第１の領域に冶金的に接合され且つ第２の複合材料からなる第２の領域と、
を含む複合材料品であって、前記第１の複合材料および前記第２の複合材料は、個々に、結合剤中に硬質粒子を含み、前記第１の複合材料の前記結合剤中のルテニウム濃度は、前記第２の複合材料の結合剤中のルテニウム濃度と異なる、複合材料品。
【請求項２】
請求項１に記載の複合材料品において、前記第１の複合材料の前記結合剤は、１重量パーセントから３０重量パーセントのルテニウムを含む、複合材料品。
【請求項３】
請求項１に記載の複合材料品において、前記第１の複合材料の前記結合剤は、３重量パーセントから２５重量パーセントのルテニウムを含む、複合材料品。
【請求項４】
請求項１に記載の複合材料品において、前記第１の複合材料の前記結合剤は、８重量パーセントから２０重量パーセントのルテニウムを含む、複合材料品。
【請求項５】
請求項１に記載の複合材料品において、前記第１の複合材料の前記結合剤中のルテニウム濃度および前記第２の複合材料の前記結合剤中のルテニウム濃度は、少なくとも１重量パーセント異なる、複合材料品。
【請求項６】
請求項１に記載の複合材料品において、前記第１の複合材料の前記結合剤中のルテニウム濃度および前記第２の複合材料の前記結合剤中のルテニウム濃度は、少なくとも５重量パーセント異なる、複合材料品。
【請求項７】
請求項１に記載の複合材料品において、前記第１の複合材料の前記結合剤中のルテニウム濃度および前記第２の複合材料の前記結合剤中のルテニウム濃度は、少なくとも１０重量パーセント異なる、複合材料品。
【請求項８】
請求項１に記載の複合材料品において、前記第２の複合材料の前記結合剤は、ルテニウムを含まないか、または偶発的量のルテニウムを含む、複合材料品。
【請求項９】
請求項１に記載の複合材料品において、前記第１の複合材料および前記第２の複合材料の各々における前記硬質粒子は、独立して、炭化物、窒化物、ホウ化物、ケイ化物、酸化物、およびこれらの固体溶液のうちの少なくとも１つを含み、前記第１の複合材料および前記第２の複合材料の前記結合剤は、独立して、コバルト、ニッケル、鉄、ルテニウム、パラジウム、およびこれらの合金のうちの少なくとも１つを含む、複合材料品。
【請求項１０】
請求項１に記載の複合材料品において、前記第１の複合材料および前記第２の複合材料は、組成、粒子サイズ、弾性率、硬度、磨耗抵抗、破壊靭性、引張強度、腐食抵抗、熱膨張率、および熱伝導率からなる群から選択される少なくとも１つの特徴において異なる、複合材料品。
【請求項１１】
請求項１に記載の複合材料品において、前記第１の複合材料の前記硬質粒子および前記第２の複合材料の前記硬質粒子は、個々に、炭化チタン、炭化クロム、炭化バナジウム、炭化ジルコニウム、炭化ハフニウム、炭化モリブデン、炭化タンタル、タングステンカーバイド、および炭化ニオブからなる群から選択される、複合材料品。
【請求項１２】
請求項１に記載の複合材料品において、前記第１の複合材料の前記結合剤および前記第２の複合材料の前記結合剤が、各々個々に、コバルト、ニッケル、ルテニウム、パラジウム、および鉄からなる群から選択される少なくとも１つの金属を含む、複合材料品。
【請求項１３】
請求項１に記載の複合材料品において、前記複合材料品が、ボールノーズエンドミル、ボールノーズ切削インサート、フライス切削インサート、スペードドリルインサート、ドリル加工インサート、ターニング切削インサート、溝彫り加工インサート、ねじ切りインサート、切断インサート、およびボーリングインサートからなる群から選択される、複合材料品。
【請求項１４】
請求項１３に記載の複合材料品において、前記複合材料品が、インデックス式切削工具インサートおよび非インデックス式切削工具インサートのうちの１つである、複合材料品。
【請求項１５】
請求項１に記載の複合材料品において、前記複合材料品は、前記第１の複合材料と前記第２の複合材料との間の境界をさらに備える、複合材料品。
【請求項１６】
請求項１５に記載の複合材料品において、前記複合材料品は、概して垂直の境界、概して水平の境界、および湾曲した境界のうちの少なくとも１つを含む、前記第１の複合材料と前記第２の複合材料との間の境界を備える、複合材料品。
【請求項１７】
請求項１に記載の複合材料品において、前記複合材料品は、前記第１の複合材料および前記第２の複合材料のうちの少なくとも１つの２つ以上の領域を含む、複合材料品。
【請求項１８】
請求項１に記載の複合材料品において、前記複合材料品がコーティングされていない、複合材料品。
【請求項１９】
請求項１に記載の複合材料品において、前記複合材料物の表面の少なくとも１つの領域は、ＣＶＤコーティング、ＰＶＤコーティング、ダイヤモンドコーティング、レーザベースコーティング、およびナノテクノロジーに基づくコーティングからなる群から選択される少なくとも１種のコーティングでコーティングされる、複合材料品。
【請求項２０】
請求項１９に記載の複合材料品において、前記少なくとも１種のコーティングが、金属炭化物、金属窒化物、金属ケイ化物、および金属酸化物からなる群から選択される少なくとも１つの材料を含み、前記金属は、周期表のＩＩＩＡ、ＩＶＢ、ＶＢ、およびＶＩＢ族から選択される、複合材料品。
【請求項２１】
請求項１９に記載の複合材料品において、前記少なくとも１つのコーティングが、窒化チタン（ＴｉＮ）、炭化チタン（ＴｉＣ）、炭窒化チタン（ＴｉＣＮ）、窒化チタンアルミニウム（ＴｉＡｌＮ）、窒化チタンアルミニウムおよび炭素（ＴｉＡｌＮ＋Ｃ）、窒化アルミニウムチタン（ＡｌＴｉＮ）、窒化アルミニウムチタンおよび炭素（ＡｌＴｉＮ＋Ｃ）、窒化チタンアルミニウムおよびタングステンカーバイド／炭素（ＴｉＡｌＮ＋ＷＣ／Ｃ）、窒化アルミニウムチタン（ＡｌＴｉＮ）、窒化アルミニウムチタンおよび炭素（ＡｌＴｉＮ＋Ｃ）、窒化アルミニウムチタンおよびタングステンカーバイド／炭素（ＡｌＴｉＮ＋ＷＣ／Ｃ）、酸化アルミニウム（Ａｌ２Ｏ３）、アルファ酸化アルミナ（αＡｌ２Ｏ３）、二ホウ化チタン（ＴｉＢ２）、タングステンカーバイド／炭素（ＷＣ／Ｃ）、窒化クロム（ＣｒＮ）、炭窒化ハフニウム（ＨｆＣＮ）、窒化ジルコニウム（ＺｒＮ）、炭窒化ジルコニウム（ＺｒＣＮ）、窒化ホウ素（ＢＮ）、窒化ホウ素炭素（ＢＣＮ）、および窒化アルミニウムクロム（ＡｌＣｒＮ）からなる群から選択される材料を含む、複合材料品。
【請求項２２】
請求項１９に記載の複合材料品において、前記少なくとも１つのコーティングは、複数の層を備える、複合材料品。
【請求項２３】
請求項１９に記載の複合材料品において、前記少なくとも１種のコーティングが、少なくとも３つの層を備え、少なくとも１つの層が少なくとも１つの他の層と異なる組成を有する、複合材料品。
【請求項２４】
請求項１に記載の複合材料品において、前記第１の領域は前記材料品の表面領域であり、また前記第２の領域は前記材料品のコア領域である、複合材料品。
【請求項２５】
請求項２４に記載の複合材料品において、前記表面領域の結合剤内のルテニウムの濃度は、前記コア領域の結合剤内のルテニウムの濃度より大きく、該コア領域に対して向上した摩耗抵抗を有する前記表面領域を提供する、複合材料品。
【請求項２６】
請求項２５に記載の複合材料品において、コア領域の靭性は前記表面領域の靭性より大きい、複合材料品。
【請求項２７】
請求項２６に記載の複合材料品において、前記表面領域は刃先を含む、複合材料品。
【請求項２８】
請求項２４に記載の複合材料品において、前記第１の複合材料及び第２の複合材料は、超硬合金である、複合材料品。
【請求項２９】
請求項１に記載の複合材料品において、前記第１の領域は該材料品の頂部領域であり、また前記第２の領域は該材料品の底部領域又は中間領域の何れか一方であり、また前記第１の複合材料の結合剤内のルテニウムの濃度は、前記第２の複合材料の結合剤内のルテニウムの濃度より大きい、複合材料品。
【請求項３０】
請求項２９に記載の複合材料品において、前記頂部領域は刃先を含む、複合材料品。
【請求項３１】
請求項２９に記載の複合材料品において、前記第１の複合材料及び第２の複合材料は、超硬合金である、複合材料品。
【請求項３２】
請求項２９に記載の複合材料品において、前記材料品はインデックス式切断インサートであり、該切断インサートは、
前記第１の複合材料からなり、且つ刃先を含む頂部領域と、
前記第１の複合材料からなり、且つ刃先を含む底部領域と、
前記第２の複合材料からなり、且つ前記頂部領域及び底部領域に冶金的に結合された第２の複合材料からなる中間領域とを含む、複合材料品。
【請求項３３】
請求項１に記載の複合材料品において、前記第１の領域は該材料品の角部領域であり、また前記第２の領域は該材料品の本体領域であり、
また前記第１の複合材料の結合剤内のルテニウムの濃度は、前記第２の複合材料の結合剤内のルテニウムの濃度より大きい、複合材料品。
【請求項３４】
請求項３３に記載の複合材料品において、前記角部領域は刃先を含む、複合材料品。
【請求項３５】
請求項３３に記載の複合材料品において、前記第１の複合材料及び第２の複合材料は、超硬合金である、複合材料品。
【請求項３６】
請求項１に記載の複合材料品において、前記材料品はドリル加工インサートであり、該ドリル加工インサートは、
前記第１の複合材料からなり、且つ刃先を含む第１の側部領域と、
前記第１の複合材料からなり、且つ刃先を含む第２の側部領域と、
前記第２の複合材料からなり、且つ前記第１の側部領域及び第２の側部領域に冶金的に結合された先端領域（ｔｉｐ  ｒｅｇｉｏｎ）とを含む、複合材料品。
【請求項３７】
請求項３６に記載の複合材料品において、前記第１の複合材料及び第２の複合材料は、超硬合金である、複合材料品。
【請求項３８】
請求項１に記載の複合材料品において、前記第１の複合材料の結合剤は、少なくとも５重量パーセントのルテニウムを具備する、複合材料品。